(57)【要約】【課題】ドラム清掃装置11の巻取軸20に巻き取った清掃シート13を簡単にかつ短時間に切断でき、作業効率を向上できる清掃シート切断装置31を提供する。【解決手段】ドラム清掃装置11の巻取軸20の軸方向と平行にガイドレール32を設ける。ガイドレール32に着脱可能な切断ユニット33を取り付ける。切断ユニット33の回転刃49をモータ54で回転駆動させながら、切断ユニット33をガイドレール32に沿って移動させ、巻取軸20に巻き取った清掃シート13を回転刃49で切断する。切断ユニット33の移動に大きな負荷がかからず、清掃シート13を簡単かつ短時間に切断できる。切断ユニット33は、ガイドレール32に対して取り外すことができるため、ドラム清掃装置11による清掃作業時に支障とならない。【選択図】図１
2008213100.tif 000002
【特許請求の範囲】
【請求項１】
印刷機のドラムの周面に帯状の清掃シートを接触させて清掃するとともに清掃した清掃シートを巻取軸に巻き取るドラム清掃装置に、前記巻取軸の軸方向と平行に設けられたガイドレールと、
このガイドレールに着脱可能でかつガイドレールの長手方向に沿って移動可能に取り付けられる着脱取付部、この着脱取付部に前記巻取軸の軸方向と直交する軸を中心として回転可能とし前記巻取軸に巻き取られた清掃シートを切断する回転刃、およびこの回転刃を回転駆動するモータを有する切断ユニットと
を具備していることを特徴とする印刷機のドラム清掃装置における清掃シート切断装置。
【請求項２】
切断ユニットは、この切断ユニットを操作する把手部、およびこの把手部に設けられモータをオンオフさせるスイッチを有している
ことを特徴とする請求項１記載の印刷機のドラム清掃装置における清掃シート切断装置。
【請求項３】
切断ユニットに着脱可能に接続され、接続状態で切断ユニットに給電するバッテリを具備している
ことを特徴とする請求項１または２記載の印刷機のドラム清掃装置における清掃シート切断装置。
【発明の詳細な説明】
【技術分野】
【０００１】
本発明は、清掃シートを用いるドラム清掃装置により印刷機のドラムの清掃後に巻取軸に巻き取られた清掃シートを切断する清掃シート切断装置に関する。
【背景技術】
【０００２】
従来、印刷機のドラム清掃装置は、印刷機のブランケット胴や圧胴などのドラムの周面に対して清掃ヘッドにより帯状の清掃シートを押圧接触させ、ドラムと清掃シートとを互いに反対方向に移動させることにより、ドラムの周面を清掃シートで擦りながらインクなどの汚れを取り除いている。
【０００３】
清掃シートはロール軸に巻回したロール状態でドラム清掃装置に装着され、そのロール部分から清掃シートを清掃ヘッドに供給するとともに、清掃ヘッドから排出される清掃済みの清掃シートを巻取軸に巻き取るようにしている。ロール軸はドラム清掃装置に対して着脱可能であるのに対して、巻取軸は清掃シートを巻き取るために回転駆動される関係からドラム清掃装置に対して着脱できない構造になっている。
【０００４】
また、清掃作業に伴って、ドラム清掃装置に装着された清掃シートを使用し終わったら、ロール軸を手動または別の駆動機構で逆転させ、巻取軸に巻き取られた使用済みの清掃シートをロール軸に巻き戻し、巻き戻しが完了したらそのロール軸をドラム清掃装置から取り外し、新しい清掃シートを巻回したロール軸をドラム清掃装置に装着するようにしている。
【０００５】
このように、清掃シートを使用し終わったら、巻取軸に巻き取られた使用済みの清掃シートをロール軸に巻き戻す工程が必要であるため、巻き戻し機構を別に設ける必要があり、また、清掃シートの巻き戻しに時間がかかり、作業効率が悪かった。
【０００６】
また、巻取軸を着脱可能としたものもあるが、新聞の印刷機用の場合には洗浄シートの幅が１８００ｍｍ程度あるため、洗浄シートを巻き取った巻取軸の取り外しが容易でなく、巻取軸から洗浄シートを外すのに大きなスペースが必要となってしまう。
【０００７】
そこで、巻取軸に巻き取られた使用済み清掃シートを巻き取り状態のまま切断して巻取軸から取り外すことが可能な清掃シート切断装置がある。この清掃シート切断装置では、巻取軸と平行に配置されたガイド軸の軸方向に沿って切断刃を移動させることにより、この切断刃の一側に設けられた刃で巻取軸に巻き取り状態にある清掃シートの幅方向全域を切断し、巻取軸から清掃シートを容易に取り外せるようにしている。また、ガイド軸および切断刃などは、清掃シートの切断時には巻取軸に接近させて清掃シートの切断を可能とし、清掃シートの切断時以外には巻取軸から離反するように移動させて巻取軸の回転を可能としている（例えば、特許文献１参照。）。
【特許文献１】特開平１１−１０５２６５号公報（第４−６頁、図１）
【発明の開示】
【発明が解決しようとする課題】
【０００８】
しかしながら、従来のような清掃シート切断装置を用いたとしても、巻取軸の軸方向に沿って切断刃を移動させるだけでは、巻取軸に何重にも巻き取られて厚みのある清掃シートを簡単に切断することはできず、切断刃に非常に大きな力を加えながら清掃シートを徐々に切り進むようにしなければならず、そのため、清掃シートの切断に時間がかかり、作業効率が悪かった。
【０００９】
また、清掃シートの切断時以外には巻取軸の回転を可能とするためにガイド軸および切断刃などを巻取軸から離反するように移動させているが、ドラム清掃装置による清掃作業のときにガイド軸や切断刃などが他の機構などに干渉するようなおそれがある。
【００１０】
本発明は、このような点に鑑みなされたもので、巻取軸に巻き取られた清掃シートを簡単にかつ短時間に切断できて、作業効率を向上でき、また、ドラム清掃装置による清掃作業時に支障となることもない印刷機のドラム清掃装置における清掃シート切断装置を提供することを目的とする。
【課題を解決するための手段】
【００１１】
請求項１記載の印刷機のドラム清掃装置における清掃シート切断装置は、印刷機のドラムの周面に帯状の清掃シートを接触させて清掃するとともに清掃した清掃シートを巻取軸に巻き取るドラム清掃装置に、前記巻取軸の軸方向と平行に設けられたガイドレールと、このガイドレールに着脱可能でかつガイドレールの長手方向に沿って移動可能に取り付けられる着脱取付部、この着脱取付部に前記巻取軸の軸方向と直交する軸を中心として回転可能とし前記巻取軸に巻き取られた清掃シートを切断する回転刃、およびこの回転刃を回転駆動するモータを有する切断ユニットとを具備しているものである。
【００１２】
請求項２記載の印刷機のドラム清掃装置における清掃シート切断装置は、請求項１記載の印刷機のドラム清掃装置における清掃シート切断装置において、切断ユニットは、この切断ユニットを操作する把手部、およびこの把手部に設けられモータをオンオフさせるスイッチを有しているものである。
【００１３】
請求項３記載の印刷機のドラム清掃装置における清掃シート切断装置は、請求項１または２記載の印刷機のドラム清掃装置における清掃シート切断装置において、切断ユニットに着脱可能に接続され、接続状態で切断ユニットに給電するバッテリを具備しているものである。
【発明の効果】
【００１４】
請求項１記載の印刷機のドラム清掃装置における清掃シート切断装置によれば、巻取軸の軸方向と平行に設けられたガイドレールに取り付けた切断ユニットの回転刃をモータで回転駆動しながら、ガイドレールに沿って切断ユニットを移動させることにより、巻取軸に巻き取られている清掃シートを切断できるため、切断ユニットの移動に大きな負荷がかからず、清掃シートを簡単にかつ短時間に切断できて、作業効率を向上でき、また、切断ユニットはガイドレールに対して取り外すことができるため、ドラム清掃装置による清掃作業時に支障となることもない。
【００１５】
請求項２記載の印刷機のドラム清掃装置における清掃シート切断装置によれば、請求項１記載の印刷機のドラム清掃装置における清掃シート切断装置の効果に加えて、切断ユニットを操作する把手部にモータをオンオフさせるスイッチを設けているため、把手部を持って切断ユニットを操作しながら切断刃の回転操作もでき、操作性を向上できる。
【００１６】
請求項３記載の印刷機のドラム清掃装置における清掃シート切断装置によれば、請求項１または２記載の印刷機のドラム清掃装置における清掃シート切断装置の効果に加えて、切断ユニットに給電するバッテリを切断ユニットに着脱可能に接続できるようにしているため、例えば、切断ユニットを運んだりガイドレールに着脱する際などには切断ユニットとバッテリとの接続を外しておくことにより、不用意に回転刃が回転するようなことがない。
【発明を実施するための最良の形態】
【００１７】
以下、本発明の一実施の形態を、図面を参照して説明する。
【００１８】
図５において、11はドラム清掃装置で、このドラム清掃装置11は、例えばブランケット胴や圧胴などのドラム12を備えた印刷機に配設され、清掃シート13を用いてドラム12の周面を清掃するものである。
【００１９】
清掃シート13は、例えば、不織布が用いられ、横幅がドラム12の軸方向の幅に対応して幅広で、幅方向に対して交差する方向に長い帯状に形成されており、円筒状の巻管14にロール状に巻き付けられた状態にある。
【００２０】
ドラム清掃装置11は、幅方向両側の側枠15およびこれら幅方向両側の側枠15を連結する複数の接続部材16（図１参照）などで構成されるフレーム17を備え、このフレーム17が図示しない進退機構によりドラム12の周面に対して接近、離反するように進退移動可能に支持されている。
【００２１】
幅方向両側の側枠15には巻管14の両端部が着脱可能かつ回転可能に受け入れる受溝18が形成され、この受溝18の下側位置に巻管14に巻き付けられている清掃シート13の周面が摺動可能に載置される円弧面状の受台19が配設されている。
【００２２】
幅方向両側の側枠15間には、巻管14から引き出されて清掃に使用された清掃シート13を巻き取る巻取軸20が回転可能に取り付けられている。この巻取軸20は図示しない巻取機構により清掃シート13を巻き取る方向に回転駆動される。巻取軸20の周面には軸方向に沿って清掃シート切断用の溝部21が形成されている。
【００２３】
ドラム12に対向するフレーム17の前面には、巻管14から引き出されて巻取軸20に巻き取られる清掃シート13が導かれていてこの清掃シート13をドラム12に押し付ける清掃用ヘッド22が配設されている。この清掃用ヘッド22は、フレーム17の前面よりドラム12に向けて突出するように、両側の側枠15間に取り付けられた支持部23で支持されている。この支持部23の下側には洗浄液が供給されて貯留する受皿24が配設され、この受皿24の上方に清掃シート13を受皿24の洗浄液内に導く案内部材25が取り付けられている。
【００２４】
そして、ドラム清掃装置11は、図５に示すように、ドラム12の清掃時以外のときには、フレーム17がドラム12から離反する方向に移動し、清掃シート13がドラム12から離反されている。また、ドラム12の清掃時には、フレーム17がドラム12に向けて移動し、清掃用ヘッド22で清掃シート13をドラム12の周面に押し付け、ドラム12を回転させてドラム12の周面を洗浄液が含浸された清掃シート13で擦りながらドラム12の周面に付着しているインクなどの汚れを取り除くとともに、巻取軸20で使用済みの清掃シート13を巻き取っていく。
【００２５】
次に、図１ないし図４において、31は清掃シート切断装置で、この清掃シート切断装置31は、ドラム清掃装置11のフレーム17に巻取軸20の軸方向と平行にフレーム17の幅方向に沿って取り付けられたガイドレール32、このガイドレール32の端部から着脱可能でかつガイドレール32の長手方向に沿って移動可能に取り付けられる切断ユニット33、およびこの切断ユニット33に対して着脱可能に接続されて給電するバッテリ34を備えている。なお、以下、切断ユニット33について、ドラム清掃装置11に対向する側を先端側と呼び、ドラム清掃装置11に対して反対側を手前側と呼ぶ。
【００２６】
ガイドレール32は、ドラム清掃装置11のフレーム17に巻取軸20の近傍でかつ対向する位置に配設され、フレーム17側に対して反対側が上下方向に膨出されており、その膨出部分において、フレーム17側に対して反対方向の外側には上下のガイドレール面36が形成されているとともに、フレーム17側に対向する内側には上下のガイドレール面37がガイドレール面36に対して略４５°傾斜する傾斜面に形成されている。
【００２７】
また、切断ユニット33は、ガイドレール32の端部から着脱可能でかつガイドレール32の長手方向に沿って移動可能に取り付けられる着脱取付部39を備えている。この着脱取付部39は、中間部材40とこの中間部材40の上下にそれぞれ取り付けられる上部部材41および下部部材42とを有し、中間部材40より上部部材41および下部部材42の先端側がガイドレール32の方向にそれぞれ突出されていて、これら中間部材40と上部部材41および下部部材42との間にガイドレール32を受け入れるガイドレール受入部43が形成されている。
【００２８】
図３および図４に示すように、着脱取付部39のガイドレール受入部43に臨む着脱取付部39の幅方向両側位置には、ガイドレール32の外側上下のガイドレール面36にそれぞれ転動可能に当接するガイドローラ44がガイドレール面36に平行な軸45で回転可能に軸支されているとともに、ガイドレール32の内側上下のガイドレール面37に当接可能とする上下のガイドローラ46がガイドレール面37の傾斜に平行な軸47で回転可能に軸支されている。したがって、外側のガイドレール面36と内側のガイドレール面37とに各ガイドローラ44，46がそれぞれ転動可能に当接し、切断ユニット33をガイドレール32の長手方向に沿って円滑に移動させることができる。
【００２９】
着脱取付部39の上部部材41の中央位置には、巻取軸20の軸方向と直交する軸48が回転可能に配設され、着脱取付部39の上面より突出する軸48の上部側に回転刃49が取り付けられ、軸48の上端に取り付けられる固定部材48aによって軸48に回転刃49が固定されている。この回転刃49は、円盤状で、周面に清掃シートを切断するのに適した刃が形成されている。この回転刃49の先端側を除く手前側の周囲を覆うようにガード50が取り付けられている。そして、切断ユニット33をガイドレール32に装着した状態において、回転刃49の刃先は、巻取軸20の周面より中心側に位置して溝部21内に入り込む位置関係となるように配置される。
【００３０】
軸48の下部にはギヤ51が取り付けられ、このギヤ51が中間部材40に回転自在に軸支されている軸52に取り付けられたギヤ53に噛合し、このギヤ53が下側部材42に取り付けられたモータ54の駆動軸55に取り付けられたギヤ56に噛合されている。したがって、モータ54の回転駆動により、ギヤ56，53，51による伝達を介して回転刃49が回転する。
【００３１】
着脱取付部39の幅方向両側には、一対の円筒状のロッド57が着脱取付部39の手前側に突出するように取り付けられ、これらロッド57の先端に切断ユニット33を操作する際に作業者が手で握る把手部58が設けられている。これら各把手部58の先端にはモータ54をオンオフさせるスイッチ59が配設されている。各スイッチ59は、把手部58内に配置されたスイッチ本体60、およびこのスイッチ本体60を操作する押ボタン部61を有している。そして、一対のスイッチ59は、両スイッチ59がオン操作された場合のみに接続されているバッテリ34からモータ54へ給電され、いずれか一方でもオン操作されていない場合には接続されているバッテリ34からモータ54へ給電されないように給電回路が構成されている。
【００３２】
また、バッテリ34は、例えばバッテリ本体から引き出された給電用ケーブルを切断ユニット33に設けられた端子部にコネクタを用いて着脱可能に接続されるか、あるいは給電用ケーブルを切断ユニット33から引き出された受電用ケーブルにコネクタを用いて着脱可能に接続される。
【００３３】
次に、本実施の形態の作用を説明する。
【００３４】
図５に示すように、ドラム清掃装置11は、ドラム12の清掃時以外のときには、フレーム17がドラム12から離反する方向に移動し、清掃シート13がドラム12から離反されている。また、清掃シート切断装置31の切断ユニット33は、ガイドレール32から取り外されており、つまりドラム清掃装置11から取り外されている。
【００３５】
そして、ドラム12の清掃時には、フレーム17がドラム12に向けて移動し、清掃用ヘッド22で清掃シート13をドラム12の周面に押し付け、ドラム12を回転させてドラム12の周面を洗浄液が含浸された清掃シート13で擦りながらドラム12の周面に付着しているインクなどの汚れを取り除くとともに、巻取軸20で使用済みの清掃シート13を巻き取っていく。
【００３６】
また、巻管14に巻かれていた清掃シート13を使用し終わったら、巻取軸20に巻き取られた使用済みの清掃シート13を取り除き、新たな巻管14に巻かれた清掃シート13をドラム清掃装置11に装着する交換作業をする。
【００３７】
この交換作業では、まず、巻取軸20の溝部21がガイドレール32側に対向する清掃シート切断時に対応した所定の回転位置で、ストッパ63により巻取軸20をフレーム17に係止する。
【００３８】
図２および図３に示すように、切断ユニット33をガイドレール32の一端側から嵌め込んで取り付ける。このとき、切断ユニット33からバッテリ34は外されており、不用意にスイッチ59が押されても回転刃49が回転するようなことがない。
【００３９】
切断ユニット33にバッテリ34を接続し、作業者が両手で一対の把手部58を握って各把手部58のスイッチ59を両方ともオン操作することにより、バッテリ34からの給電でモータ54が回転駆動し、回転刃49が回転する。
【００４０】
図１に示すように、作業者が両手で一対の把手部58を握って各把手部58のスイッチ59をオン操作したまま、切断ユニット33をガイドレール32に沿って一端側から他端側へ向けて移動させることにより、回転する回転刃49の刃先が巻取軸20の溝部21に入り込みながら、この回転刃49で清掃シート13を一端側から他端側へ向けて幅方向に切断していく。
【００４１】
モータ54の駆動で回転する回転刃49により清掃シート13を簡単に切断できるため、切断ユニット33をガイドレール32に沿って一端側から他端側へ向けて移動させながら清掃シート13を切断する際の負荷が少なく、切断ユニット33を軽く移動させながら清掃シート13を切断できる。
【００４２】
清掃シート13の一端側から他端側の全幅域を切断したら、各スイッチ59のオン操作を解除する。切断した清掃シート13は、ドラム清掃装置11から取り出し、かさばらないように折り畳んで処理できる。
【００４３】
その後、切断ユニット33からバッテリ34の接続を外し、切断ユニット33をガイドレール32の端部から外す。
【００４４】
そして、新たな巻管14に巻かれた清掃シート13をドラム清掃装置11に装着する。
【００４５】
このように、巻取軸20の軸方向と平行に設けられたガイドレール32に取り付けた切断ユニット33の回転刃49をモータ54で回転駆動しながら、ガイドレール32に沿って切断ユニット33を移動させることにより、巻取軸20に巻き取られている清掃シート13を切断できるため、切断ユニット33の移動に大きな負荷がかからず、清掃シート13を簡単かつ短時間に切断できて、作業効率を向上でき、また、切断ユニット33はガイドレール32に対して取り外すことができるため、ドラム清掃装置11による清掃作業時に支障となることもない。
【００４６】
また、切断ユニット33を操作する把手部58にモータ54をオンオフさせるスイッチ59を設けているため、把手部58を持って切断ユニット33を操作しながら回転刃49の回転操作もでき、操作性を向上できる。
【００４７】
しかも、モータ54で回転刃49を回転させる場合には作業者にとって恐怖感を与えやすいが、作業者は両手で一対の把手部58を持ってスイッチ59を操作しなければならないため、作業者の手が回転刃49から離れた位置に必ず置かれることになり、作業者に安心感を与えることができる。
【００４８】
また、切断ユニット33に給電するバッテリ34を切断ユニット33に着脱可能に接続できるようにしているため、切断ユニット33を運んだりガイドレール32に着脱する際などには切断ユニット33とバッテリ34との接続を外しておくことにより、不用意に回転刃49が回転するようなことがない。
【図面の簡単な説明】
【００４９】
【図１】本発明の一実施の形態を示す印刷機のドラム清掃装置における清掃シート切断装置の斜視図である。
【図２】同上清掃シート切断装置の断面図である。
【図３】同上清掃シート切断装置の平面図である。
【図４】同上清掃シート切断装置の一部の断面図である。
【図５】同上ドラム清掃装置の断面図である。
【符号の説明】
【００５０】
11    ドラム清掃装置
12    ドラム
13    清掃シート
20    巻取軸
31    清掃シート切断装置
32    ガイドレール
33    切断ユニット
34    バッテリ
39    着脱取付部
48    軸
49    回転刃
54    モータ
58    把手部
59    スイッチ
【図１】
2008213100.tif 000003
【図２】
2008213100.tif 000004
【図３】
2008213100.tif 000005
【図４】
2008213100.tif 000006
【図５】
2008213100.tif 000007